(57)【要約】【課題】部品の破損抑制と電力消費の削減を図った電源装置を提供する。【解決手段】電源装置１００は、商用交流電源２００からの１００Ｖあるいは２００Ｖの交流電圧を入力して整流し、負荷３００に直流電圧を供給するものであり、入力される交流電圧を整流する整流ブリッジ１１２と、直列に接続され、且つ、負荷３００に対して並列に接続された平滑コンデンサ１１６及び１１８と、整流ブリッジ１１２の出力端子と平滑コンデンサ１１６及び１１８との接続を切り替える電圧切替スイッチ１１４と、入力される交流電圧を判定し、１００Ｖ入力時には倍電圧整流方式となり、２００Ｖ入力時には全波整流方式となるように電圧切替スイッチ１１４の切り替えを制御するスイッチ制御回路１０４と、当該スイッチ制御回路１０４に対する交流電圧の入力及び遮断を切り替える電圧切替決定スイッチ１０２とを有する。【選択図】図１
2007236035.tif 000002
【特許請求の範囲】
【請求項１】
第１の交流電圧と該第１の交流電圧より大きい第２の交流電圧とを入力して整流し、負荷に直流電圧を供給する電源装置であって、
入力される交流電圧を整流する整流ブリッジと、
直列に接続され、且つ、前記負荷に対して並列に接続された第１及び第２の平滑コンデンサと、
前記整流ブリッジの出力端子と、前記第１及び第２の平滑コンデンサとの接続を切り替える第１の切替手段と、
前記第１の交流電圧の入力時には倍電圧整流方式となり、前記第２の交流電圧の入力時には全波整流方式となるように前記第１の切替手段の切り替えを制御する制御手段と、
前記制御手段に対する交流電圧の入力及び遮断を切り替える第２の切替手段とを有することを特徴とする電源装置。
【請求項２】
前記第１の切替手段はラッチ式であり、
前記第２の切替手段はモーメンタリ式であることを特徴とする請求項１に記載の電源装置。
【請求項３】
前記整流ブリッジへの交流電圧の入力及び遮断を切り替える第３の切替手段を有することを特徴とする請求項１又は２に記載の電源装置。
【請求項４】
前記第３の切替手段は、初期状態において前記整流ブリッジへ交流電圧を遮断するように作動し、前記第１の切替手段の切替動作後に前記整流ブリッジへ交流電圧を入力するように作動することを特徴とする請求項３に記載の電源装置。
【請求項５】
前記制御手段は、入力される交流電圧が、設定した整流方式に応じた所定値を超える場合に、前記整流ブリッジへの交流電圧が遮断されるように、前記第３の切替手段の切り替えを制御することを特徴とする請求項３又は４に記載の電源装置。
【請求項６】
前記第１の切替手段による切替動作の完了を通知する通知手段を有することを特徴とする請求項１乃至５のいずれかに記載の電源装置。
【発明の詳細な説明】
【技術分野】
【０００１】
本発明は、ＤＣ／ＤＣコンバータ回路等の負荷に直流電圧を供給する電源装置に関する。
【背景技術】
【０００２】
電源回路の入力回路部は、ＤＣ／ＤＣコンバータ回路等の負荷に供給する直流電圧をほぼ一定とするために、交流入力電圧を直流に整流する整流ブリッジの出力端子と平滑コンデンサとの接続を変えることによって、１００Ｖ系の交流入力電圧（入力１００Ｖ系）に対しては倍電圧整流方式に、２００Ｖ系の交流入力電圧（入力２００Ｖ系）に対しては全波整流方式に切り替えることを行う。
【０００３】
従来は、この整流方式を切り替える方法として、ジャンパ線の実装及び未実装を切り替えてオン、オフする方法や、手動切替スイッチ、トライアック、ＳＳＲ（Solid State Relay）等のスイッチ素子をオン、オフする方法が用いられている（例えば、特許文献１及び２参照）。図８及び図９は、従来の電源回路の回路図である。
【０００４】
図８に示す電源回路においては、人手によって電源回路入力部５００内のジャンパ線や手動切替スイッチに相当するスイッチ部５０２を切り切り替えることによって、商用交流電源６０２からヒューズ５０４及び整流ブリッジ５０６を介して入力される交流電圧を平滑コンデンサ５０８及び５１０へ供給する。一方、図９に示す電源回路においては、判定回路及びドライブ回路５０１が、電源回路入力部５００内のトライアックやＳＳＲに相当するスイッチ部５１２を切り切り替えることによって、商用交流電源６０２からヒューズ５０４及び整流ブリッジ５０６を介して入力される交流電圧を平滑コンデンサ５０８及び５１０へ供給する。
【０００５】
例えば、入力１００Ｖ系の場合、スイッチ部５０２及び５１２をオンにして、入力される交流電圧の正のサイクル時に平滑コンデンサ５０８を充電し、負のサイクル時に平滑コンデンサ５１０を充電する。これにより、２倍の電圧に整流平滑された直流電圧が負荷６００に供給される。また、入力２００Ｖ系の場合、スイッチ部５０８及び５１０をオフにして、入力される交流電圧の正のサイクル時及び負のサイクル時の双方において、平滑コンデンサ５０８及び５１０の双方を充電する。これにより全波整流平滑された直流電圧が負荷６００に供給される。
【特許文献１】特開平５−２５２６５６号公報
【特許文献２】特開平９−１４９６４３号公報
【発明の開示】
【発明が解決しようとする課題】
【０００６】
しかし、従来のジャンパ線の実装及び未実装を切り替える方法や手動切替スイッチを切り替える方法は、入力される交流電圧に応じて手動で切り替える必要があり、切り替えを間違えたり、切り替えるのを忘れたりする場合がある。この場合、電源装置や当該電源装置から直流電圧が供給される負荷が破損する可能性がある。一方、トライアック等のスイッチ素子を使用して自動切替方式とした場合には、手動切替方式の場合のような切替ミスは発生しないが、常に交流入力電圧を判定する回路を動作させる必要があるため、電力の消費の増大を招いていた。更には、判定回路は、電力が供給された状態で判定動作を行うため、判定直前に平滑コンデンサに過電圧がかかる可能性がある。このため、部品の破損抑制と電力消費の削減を図りつつ、入力１００Ｖ系と２００Ｖ系の双方に共用可能な電源装置が要求されている。
【０００７】
本発明の目的は、上述した問題を解決するものであり、部品の破損抑制と電力消費の削減を図った電源装置を提供するものである。
【課題を解決するための手段】
【０００８】
本発明は、第１の交流電圧と該第１の交流電圧より大きい第２の交流電圧とを入力して整流し、負荷に直流電圧を供給する電源装置であって、入力される交流電圧を整流する整流ブリッジと、直列に接続され、且つ、前記負荷に対して並列に接続された第１及び第２の平滑コンデンサと、前記整流ブリッジの出力端子と、前記第１及び第２の平滑コンデンサとの接続を切り替える第１の切替手段と、前記第１の交流電圧の入力時には倍電圧整流方式となり、前記第２の交流電圧の入力時には全波整流方式となるように前記第１の切替手段の切り替えを制御する制御手段と、前記制御手段に対する交流電圧の入力及び遮断を切り替える第２の切替手段とを有することを特徴とする。
【０００９】
この構成によれば、制御手段によって、入力される交流電圧に応じた倍電圧整流方式及び全波整流方式の切替制御が行われるため、部品の破損が抑制される。更には、制御手段に対する交流電圧の入力及び遮断が切替手段によって切り替えられるため、電力消費の削減を図ることが可能となる。
【００１０】
また、本発明の電源装置は、前記第１の切替手段がラッチ式であり、前記第２の切替手段がモーメンタリ式であるようにしてもよい。
【００１１】
この構成によれば、第１の切替手段をラッチ式とすることによって電圧制御によるスイッチング動作が可能となり、第２の切替手段をモーメンタリ式とすることによって、ユーザによる押圧操作がなされている間だけ、制御手段へ交流電圧が供給されることになり、電力消費の削減を図ることができる。
【００１２】
また、本発明の電源装置は、前記整流ブリッジへの交流電圧の入力及び遮断を切り替える第３の切替手段を有するようにしてもよい。
【００１３】
また、本発明の電源装置は、前記第３の切替手段が、初期状態において前記整流ブリッジへ交流電圧を遮断するように作動し、前記第１の切替手段の切替動作後に前記整流ブリッジへ交流電圧を入力するように作動するようにしてもよい。
【００１４】
この構成によれば、第１の切替手段の切替動作後に整流ブリッジへ交流電圧が入力されて整流動作が行われるため、負荷に対して適切な整流方式による直流電圧の供給が可能となる。
【００１５】
また、本発明の電源装置は、前記制御手段が、入力される交流電圧が、設定した整流方式に応じた所定値を超える場合に、前記整流ブリッジへの交流電圧が遮断されるように、前記第３の切替手段の切り替えを制御するようにしてもよい。
【００１６】
この構成によれば、過電圧による部品の破損がより抑制される。
【００１７】
また、本発明の電源装置は、前記第１の切替手段による切替動作の完了を通知する通知手段を有するようにしてもよい。
【００１８】
この構成によれば、ユーザは、整流方式が切り替わったことを認識することができる。
【発明の効果】
【００１９】
本発明によれば、入力される交流電圧に応じた倍電圧整流方式及び全波整流方式の切替制御が行われるため、部品の破損が抑制されるとともに、制御手段に対する交流電圧の入力及び遮断が切り替えられるため、電力消費の削減を図ることが可能となる。
【発明を実施するための最良の形態】
【００２０】
以下、本発明の実施の形態について、図面を参照して具体的に説明する。図１は、本発明の実施の形態に係る電源装置の基本的な回路図である。図１に示す電源回路１００は、商用交流電源２００からの１００Ｖあるいは２００Ｖの交流電圧を入力して整流し、ＤＣ／ＤＣコンバータ等の負荷３００に直流電圧を供給するものである。この電源装置１００は、電圧切替決定スイッチ１０２、スイッチ制御回路１０４、遅延用コンデンサ１０６、スイッチ１０８、電源スイッチ１１０、整流ブリッジ１１２、電圧切替スイッチ１１４、平滑コンデンサ１１６及び１１８により構成される。
【００２１】
電圧切替決定スイッチ１０２は、モーメンタリ式であり、初期状態ではオフとなっている。ユーザによる押圧操作によって電圧切替決定スイッチ１０２がオンとなると、商用交流電源２００からの交流電圧がスイッチ制御回路１０４へ供給される。
【００２２】
スイッチ制御回路１０４は、入力した交流電圧の値を判定する。そして、スイッチ制御回路１０４は、その交流電流の値に応じて、整流ブリッジ１１２の出力端子と、直列に接続され、且つ、負荷３００に対して並列に接続された平滑コンデンサ１１６及び１１８との間の接続を切り替える電圧切替スイッチ１１４を制御する。具体的には、スイッチ制御回路１０４は、交流電圧が１００Ｖの場合（１００Ｖ入力時）には、整流方式が倍電圧整流方式となるように電圧切替スイッチ１１４を制御し、交流電圧が２００Ｖの場合（２００Ｖ入力時）には、整流方式が全波整流方式となるように電圧切替スイッチ１１４を制御する。
【００２３】
また、スイッチ制御回路１０４は、交流電圧が入力されると、商用交流電源２００からの交流電圧の整流ブリッジ１１２への入力及び遮断を切り替えるスイッチ１０８に対して電圧を供給してオンにする制御を行う。但し、スイッチ制御回路１０４とスイッチ１０８との間に遅延用コンデンサ１０６が設けられているため、スイッチ１０８は直ちにオンにはならず、遅延用コンデンサ１０６の充電が完了し、入力電圧が所定値以上になるまでの時間だけ遅延する。遅延用コンデンサ１０６による遅延時間は、電圧切替スイッチ１１４の切り替えが完了する時間よりも長い時間である。
【００２４】
スイッチ１０８がオンとなり、且つ、商用交流電源２００からの交流電圧の整流ブリッジ１１２への入力及び遮断を切り替える電源スイッチ１１０がユーザの操作によってオンになると、商用交流電源２００からの交流電圧が整流ブリッジ１１２へ供給される。そして、上述したスイッチ制御回路１０４による電圧切替スイッチ１１４の制御によって、１００Ｖ入力時には倍電圧整流方式による整流が行われて直流電圧が負荷３００に供給され、２００Ｖ入力時には全波整流方式による整流が行われて直流電圧が負荷３００に供給される。
【００２５】
以下、本発明の実施の形態に係る電源装置の第１乃至第５実施例について説明する。
【００２６】
（第１実施例）
図２は、第１実施例における電源装置の回路図である。図２に示す電源装置１００−１では、レギュレータ１２４、整流ブリッジ１２６、コンデンサＣ３、ダイオードＤ１、ツェナーダイオードＺＤ１、抵抗Ｒ１及びＮＰＮ型のトランジスタＱ１によってスイッチ制御回路１０４が構成される。また、電圧切替スイッチ１１４とリセットコイル１２０とによってラッチリレー１２１が構成されるとともに、スイッチ１０８とセットコイル１２２とによってラッチリレー１２３が構成される。
【００２７】
ラッチリレー１２１は、初期状態ではオンであり、これにより整流方式が倍電圧整流方式に設定される。また、ラッチリレー１２３は、初期状態ではオフである。電源スイッチ１１０がユーザの操作によってオンとなっても、初期状態ではラッチリレー１２３がオフであるため、整流ブリッジ１１２には商用交流電源２００からの交流電圧が供給されず、更には負荷３００にも直流電圧が供給されない。
【００２８】
初期状態において、ユーザによる押圧操作によって電圧切替決定スイッチ１０２がオンになると、商用交流電源２００からの交流電圧により、整流ブリッジ１１２を通して平滑コンデンサＣ３が充電される。更に、レギュレータ（ＲＥＧ）１２４によって、ラッチリレー１２１及び１２３に対し、これらが駆動可能な所定電圧が供給される。
【００２９】
電圧切替決定スイッチ１０２が押圧操作されてオンとなっている間において、商用交流電源２００からの交流電圧が１００Ｖの場合には、ツェナーダイオードＺＤ１がオフであり、ベースが当該ツェナーダイオードＺＤ１のアノードと抵抗Ｒ１を介して接続されているトランジスタＱ１もオフである。このため、一端がトランジスタＱ１のコレクタに接続されたリセットコイル１２０は駆動せず、ラッチリレー１２１がオンのままであるため、整流方式は倍電圧整流方式に維持される。
【００３０】
一方、商用交流電源２００からの交流電圧が整流方式の切り替え判定電圧（例えば１４０Ｖ）を超える場合には、ツェナーダイオードＺＤ１がオンになり、トランジスタＱ１もオンとなる。このため、リセットコイル１２０が駆動し、ラッチリレー１２１がオフとなって、整流方式が全波整流方式に切り替わる。
【００３１】
ラッチリレー１２３は、セットコイル１２２の入力段に遅延用コンデンサ１０６が並列に接続されているため、ラッチリレー１２１より遅延して駆動する。すなわち、ラッチリレー１２１がオンからオフに切り替わった後に、ラッチリレー１２３はオンとなる。更に、電源スイッチ１１０がユーザの操作によってオンになると、整流ブリッジ１１２への商用交流電源２００からの交流電圧の供給が開始される。
【００３２】
なお、ラッチリレー１２１は、商用交流電源２００からの交流電圧が供給されなくなった後は、オンになるため、電圧切替決定スイッチ１０２の作動は、商用交流電源２００からの交流電圧の供給が開始される際の１回のみでよい。
【００３３】
（第２実施例）
図３は、第２実施例における電源装置の回路図である。図３に示す電源装置１００−２では、レギュレータ１２４、整流ブリッジ１２６、コンデンサＣ３、コンデンサＣ４、ダイオードＤ１、ツェナーダイオードＺＤ１、ツェナーダイオードＺＤ２、抵抗Ｒ１、抵抗Ｒ２、抵抗Ｒ３、抵抗Ｒ４、ＮＰＮ型のトランジスタＱ１、ＰＮＰ型のトランジスタＱ２及び発光ダイオードＤ２によってスイッチ制御回路１０４が構成される。また、電圧切替スイッチ１１４、リセットコイル１２０及びセットコイル１２２によってラッチリレー１２１が構成される。また、電源スイッチ１１０は、蓋部がスライド移動可能なケース１２８内に収容されている。
【００３４】
本実施例では、ラッチリレー１２１にセットコイル１２２を設けることによって、ラッチリレー１２１の初期状態に関わらず、電圧切替スイッチ１１４のオフからオンへの制御とともに、オンからオフへの制御も可能とした。ユーザによる押圧操作によって電圧切替決定スイッチ１０２がオンとなると、商用交流電源２００からの交流電圧により、整流ブリッジ１１２を通して平滑コンデンサＣ３が充電される。更に、ＲＥＧ１２４によって、ラッチリレー１２１に対し、駆動可能な所定電圧が供給される。
【００３５】
電圧切替決定スイッチ１０２が押圧操作されてオンとなっている間において、商用交流電源２００からの交流電圧が１００Ｖの場合には、ツェナーダイオードＺＤ１がオフであり、ベースが当該ツェナーダイオードＺＤ１のアノードと抵抗Ｒ１を介して接続されているトランジスタＱ１はオフ、トランジスタＱ２はオンとなる。このため、一端がトランジスタＱ１のコレクタに接続されたリセットコイル１２０は駆動せず、一端がトランジスタＱ２のエミッタに接続されたセットコイル１２２が駆動し、ラッチリレー１２１がオンとなって、整流方式が倍電圧整流方式となる。
【００３６】
一方、商用交流電源２００からの交流電圧が整流方式の切り替え判定電圧（例えば１４０Ｖ）を超える場合には、ツェナーダイオードＺＤ１がオンになり、トランジスタＱ１はオン、トランジスタＱ２はオフとなる。このため、セットコイル１２２は駆動せず、リセットコイル１２０が駆動し、ラッチリレー１２１がオフとなって、整流方式が全波整流方式に切り替わる。
【００３７】
また、本実施例では、第１実施例のような遅延コンデンサ１０６に代えて、機械的な構造によって、ラッチリレー１２１による切替動作の後に整流ブリッジ１１２への商用交流電源２００からの交流電圧の供給が開始されるようにしている。図４は、電圧切替決定スイッチ１０２、電源スイッチ１１０及びケース１２８の配置（図４（ａ））と、ケース１２８の蓋部４１１の斜視図（図４（ｂ））である。
【００３８】
蓋部４１１には、孔４１２と溝４１３が形成されている。孔４１２は、電圧切替決定スイッチ１０２の下部４０２に応じた形状であり、当該下部４０２が嵌合する。また、溝４０２の幅は、電圧切替決定スイッチ１０２の下部４０２の径よりも小さく、上部４０１よりも大きくなっている。電圧切替決定スイッチ１０２の押圧操作がなされていない場合には、蓋部４１１は、下部４０２によってロックされた状態となり、スライド移動することができない。一方、電圧切替決定スイッチ１０２の押圧操作がなされると、下部４０２は孔４１２から抜けて、当該孔４１２には上部４０１が挿入された状態となる。この状態では、上部４０１は溝４１３を通過することが可能であるため、蓋部４１１がスライド移動することができ、ケース１２８内の電源スイッチ１１０が露出する。
【００３９】
従って、電圧切替決定スイッチ１０２がオンになり、入力される交流電圧の判定に応じてラッチリレー１２１が駆動して適切な整流方式が設定された後に、電源スイッチ１１０は操作可能となる。
【００４０】
再び、図３に戻って説明する。電圧切替決定スイッチ１０２がオンになると、ＲＥＧ１２４からの電圧によってダイオードＤ１と、当該ダイオードＤ１と抵抗Ｒ３を介して接続されたコンデンサＣ４が充電される。更に、コンデンサＣ４の充電が完了すると、ツェナーダイオードＺＤ２とがオンになる。これにより、ツェナーダイオードＺＤ２と抵抗Ｒ４を介して接続された発光ダイオードＤ２は、電圧切替決定スイッチ１０２がオンになってからラッチリレー１２１が切り替わる時間だけ遅延して発光する。ユーザは、発光ダイオードＤ２の発光によって、ラッチリレー１２１が確実に動作したことを認識することができ、更には、電圧切替決定スイッチ１０２をこれ以上操作する必要がないことを認識することができる。
【００４１】
なお、第１実施例と同様、電圧切替決定スイッチ１０２の作動は、商用交流電源２００からの交流電圧の供給が開始される際の１回のみでよい。また、電源スイッチ１１０を収容するケース１２８の代わりに、第１実施例と同様、スイッチ１０８及びセットコイル１２２からなるラッチリレー１２３と遅延用コンデンサ１０６とを設けて、ラッチリレー１２１による切替動作の後に整流ブリッジ１１２への商用交流電源２００からの交流電圧の供給が開始されるようにしてもよい。
【００４２】
（第３実施例）
図５は、第３実施例における電源装置の回路図である。図５に示す電源装置１００−３は、ラッチリレー１２３のリセットコイル１３０に、商用交流電源２００からの交流電圧が過電圧であるか否かを検出する過電圧検出回路を接続した構成となっている。この電源装置１００−３では、レギュレータ１２４、整流ブリッジ１２６、レギュレータ１３２、コンデンサＣ３、ダイオードＤ１、ツェナーダイオードＺＤ１、ツェナーダイオードＺＤ２、抵抗Ｒ１、抵抗Ｒ４、ＮＰＮ型のトランジスタＱ１及びＮＰＮ型のトランジスタＱ２によってスイッチ制御回路１０４が構成される。また、電圧切替スイッチ１１４及びリセットコイル１２０によってラッチリレー１２１が構成され、スイッチ１０８、セットコイル１２２及びリセットコイル１３０によってラッチリレー１２３が構成される。
【００４３】
設定された整流方式に対して、商用交流電源２００からの交流電圧が異常に高い状態の場合に、電源スイッチ１１０がオンになると、ツェナーダイオードＺＤ２がオンになり、更に、ベースが当該ツェナーダイオードＺＤ２のアノードと抵抗Ｒ４を介して接続されたトランジスタＱ２がオンになる。これにより、一端がトランジスタＱ２のコレクタと接続されたリセットコイル１３０が駆動し、ラッチリレー１２３がオフとなる。このため、商用交流電源２００から整流ブリッジ１１２への交流電圧が遮断され、平滑コンデンサ１１６及び１１８の破損が抑制される。
【００４４】
（第４実施例）
図６は、第４実施例における電源装置の回路図である。図６に示す電源装置１００−４は、整流方式の切り替えにヒューズＦ１及びトライアックＡＮ１を用いる。この電源装置１００−４では、レギュレータ１２４、整流ブリッジ１２６、コンデンサＣ３、コンデンサＣ５、コンデンサＣ６、ダイオードＤ１、ツェナーダイオードＺＤ１、ツェナーダイオードＺＤ２、抵抗Ｒ１、抵抗Ｒ４、抵抗Ｒ５、抵抗Ｒ６、抵抗Ｒ７、抵抗Ｒ８、抵抗Ｒ９、ＮＰＮ型のトランジスタＱ１、ＮＰＮ型のトランジスタＱ２及びトライアック駆動回路ＰＣ１によってスイッチ制御回路１０４が構成される。また、スイッチ１０８及びセットコイル１２２によってラッチリレー１２３が構成される。
【００４５】
２つの連動スイッチからなる電圧切替決定スイッチ１０２が押圧操作されてオンとなっている間において、商用交流電源２００からの交流電圧が整流方式の切り替え判定電圧（例えば１４０Ｖ）を超える場合には、ツェナーダイオードＺＤ１がオンになり、ベースが当該ツェナーダイオードＺＤ１のアノードと抵抗Ｒ１を介して接続されているトランジスタＱ１もオンとなる。このため、一端がトランジスタＱ１のコレクタに接続されたヒューズＦ１に短絡電流が流れ、当該ヒューズＦ１が遮断する。そして、ヒューズＦ１が遮断されると、トライアック駆動回路ＰＣ１内のダイオード側の電流経路が遮断されるため、当該トライアック駆動回路ＰＣ１はオフになる。このため、トライアック駆動回路ＰＣ１に接続されたトラアックＡＮ１はオフになり、整流方式は全波整流方式となる。
【００４６】
また、第１実施例と同様、ラッチリレー１２３は、セットコイル１２２の入力段に遅延用コンデンサ１０６が並列に接続されており、ヒューズＦ１の遮断後に駆動する。
【００４７】
（第５実施例）
図７は、第５実施例における電源装置の回路図である。図７に示す電源装置１００−５は、整流方式の切り替えにトライアックＡＮ２とヒューズＦ２及びヒューズＦ３とを用いる。この電源装置１００−５では、整流ブリッジ１２６、コンデンサＣ３、コンデンサＣ７、ツェナーダイオードＺＤ１、抵抗Ｒ１、抵抗Ｒ１０、抵抗Ｒ１１及びトライアック駆動回路ＰＣ２によってスイッチ制御回路１０４が構成される。また、第２実施例と同様、電源スイッチ１１０は、電圧切替決定スイッチ１０２が押圧操作された場合に蓋部がスライド移動可能となるケース１２８内に収容されている。
【００４８】
電圧切替決定スイッチ１０２が押圧操作されてオンとなっている間において、商用交流電源２００からの交流電圧が１００Ｖである場合には、ツェナーダイオードＺＤ１がオフになり、当該ツェナーダイオードＺＤ１のアノードに、内蔵するダイオードのアノードが接続されているトライアック駆動回路ＰＣ２もオフになる。このため、当該トライアック駆動回路ＰＣ２と並列に接続されたトライアックＡＮ２がオフになり、ヒューズＦ２及びＦ３には短絡電流が流れず、当該ヒューズＦ２及びＦ３が遮断されることはない。従って、整流方式は倍電圧整流方式となる。
【００４９】
一方、商用交流電源２００からの交流電圧が整流方式の切り替え判定電圧（例えば１４０Ｖ）を超える場合には、ツェナーダイオードＺＤ１がオンになり、トライアック駆動回路ＰＣ２もオンになる。このため、トライアックＡＮ２がオンになり、ヒューズＦ２及びＦ３に短絡電流が流れ、当該ヒューズＦ２及びＦ３が遮断する。そして、ヒューズＦ２及びＦ３が遮断されると、整流方式は全波整流方式となる。なお、ヒューズＦ２及びＦ３に代えて、サーキットプロテクタ等の電流遮断装置を用いてもよい。
【００５０】
このように、本実施形態の電源装置１００では、スイッチ制御回路１０４が、商用交流電源２００からの交流電圧に応じて、倍電圧整流方式及び全波整流方式の切替制御を適切に行うため、装置内の部品の破損が抑制される。更には、モーメンタリ式の電圧切替決定スイッチ１０２が押圧操作されている場合にのみ、スイッチ制御回路１０４に対する商用交流電源２００からの交流電圧の入力がなされるため、電力消費の削減を図ることが可能となる。
【産業上の利用可能性】
【００５１】
以上、説明したように、本発明に係る電源装置は、部品の破損抑制と電力消費の削減を図ることができ、電源装置として有用である。
【図面の簡単な説明】
【００５２】
【図１】電源装置の基本的な回路図である。
【図２】第１実施例における電源装置の回路図である。
【図３】第２実施例における電源装置の回路図である。
【図４】電圧切替決定スイッチ、電源スイッチ及びケース１２８の配置と、ケースの蓋部の斜視図である。
【図５】第３実施例における電源装置の回路図である。
【図６】第４実施例における電源装置の回路図である。
【図７】第５実施例における電源装置の回路図である。
【図８】従来の電源装置の回路図の第１の例である。
【図９】従来の電源装置の回路図の第２の例である。
【符号の説明】
【００５３】
１００  電源装置
１０２  電圧切替決定スイッチ
１０４  スイッチ制御回路
１０５  遅延用コンデンサ
１０８  スイッチ
１１０  電源スイッチ
１１２  整流ブリッジ
１１４  電圧切替スイッチ
１１６、１１８  平滑コンデンサ
２００  商用交流電源
３００  負荷
【図１】
2007236035.tif 000003
【図２】
2007236035.tif 000004
【図３】
2007236035.tif 000005
【図４】
2007236035.tif 000006
【図５】
2007236035.tif 000007
【図６】
2007236035.tif 000008
【図７】
2007236035.tif 000009
【図８】
2007236035.tif 000010
【図９】
2007236035.tif 000011